(57)【要約】【課題】            圧力損失を増大させることなく塵埃や水滴の室内への侵入を防止することができるウェザーカバーを得る。【解決手段】        背面に換気口１に連通する接続口２を備え、この接続口２をフード状に覆い、内部に下部において開放する換気風路３を形成するカバー部４を有するウェザーカバーについて、そのカバー部４の換気風路３を横断する状態に屏風状に折り曲げたエアーフィルタ１０を着脱可能に設ける。また、エアーフィルタ１０の折り曲げ角を水平面に対して４０度〜５５度にする。さらには、折り曲げによって形成された山の高さが山間のピッチより高いエアーフィルタ１０とする。【選択図】          図１
2005265239.tif 000002
【特許請求の範囲】
【請求項１】
背面に換気口に連通する接続口を備え、この接続口をフード状に覆い、内部に下部において開放する換気風路を形成するカバー部を有するウェザーカバーであって、前記カバー部の換気風路を横断する状態に屏風状に折り曲げたエアーフィルタを着脱可能に設けたウェザーカバー。
【請求項２】
請求項１に記載のウェザーカバーであって、エアーフィルタの折り曲げ角を水平面に対して４０度〜５５度にしたウェザーカバー。
【請求項３】
請求項１又は請求項２のいずれかに記載のウェザーカバーであって、折り曲げによって形成された山の高さが山間のピッチより高いエアーフィルタであるウェザーカバー。
【請求項４】
請求項１〜請求項３までのいずれかに記載のウェザーカバーであって、エアーフィルタをＷ形またはＭ形に折り曲げたウェザーカバー。
【請求項５】
請求項１〜請求項４までのいずれかに記載のウェザーカバーであって、防火ダンパ機能を備えたウェザーカバー。
【請求項６】
請求項１〜請求項４までのいずれかに記載のウェザーカバーであって、電動シャッタによる換気風路開閉機能を備えたウェザーカバー。
【請求項７】
請求項６に記載のウェザーカバーであって、防火ダンパ機能を備えたウェザーカバー。
【発明の詳細な説明】
【技術分野】
【０００１】
本発明は、換気口の屋外開口部に取付けられるウェザーカバーに関するものである。
【背景技術】
【０００２】
給気や排気のための換気口に取付けられるウェザーカバーは、換気口の屋外開口部からの風雨の侵入を防ぐためのものである。その構造はシンプルで、背面に換気口に連通する接続口が有り、この接続口をカバー部がフード状に覆っている。カバー部の内部は下部において開放する換気風路となっていて、防虫・防鳥のための網体が設けられているものもある。なお、この種の従来技術としては特許文献１に示されたものがある。
【０００３】
【特許文献１】実公昭６０―５７４号公報
【発明の開示】
【発明が解決しようとする課題】
【０００４】
従来のウェザーカバーは、給気用の換気口に設けられるものでは、防虫・防鳥のための網体はあるもののエアーフィルタは無く、室外の塵埃や水滴が室内へ侵入してしまい、室内雰囲気を悪くしてしまう。排気用の換気口に設けられるものでも、換気扇等が停止しているときは、室外の塵埃が室内へ侵入することになり、室内雰囲気を悪くする。こうした問題は、エアーフィルタを装備すれば解決できることではあるが、換気風路の下部の開放部に単に平板状のエアーフィルタを装着しただけでは、圧力損失が増大し本来の換気量を確保できなくなる。
【０００５】
本発明は、上記した課題を解決するためになされたものであり、その目的とするところは、圧力損失を増大させることなく塵埃や水滴の室内への侵入を防止することができるウェザーカバーを得ることであり、そのウェザーカバーの機能の拡充を推進することである。
【課題を解決するための手段】
【０００６】
上記課題を解決するために本発明は、背面に換気口に連通する接続口を備え、この接続口をフード状に覆い、内部に下部において開放する換気風路を形成するカバー部を有するウェザーカバーについて、そのカバー部の換気風路を横断する状態に屏風状に折り曲げたエアーフィルタを着脱可能に設ける手段を採用する。
【発明の効果】
【０００７】
本発明によれば、エアーフィルタが屏風状に折り曲げられた形態でカバー部の換気風路を横断していて、エアーフィルタの換気流の通過面積が広いため圧力損失は低減し、塵埃や水滴の室内への侵入が防止できる。
【発明を実施するための最良の形態】
【０００８】
本発明のウェザーカバーは、背面に換気口に連通する接続口を備え、この接続口をフード状に覆い、内部に下部において開放する換気風路を形成するカバー部を有するものである。カバー部は、上面と前面を覆う前面部と、両側を覆う側面部と、背面を形成する背面部とからなり、前面部、側面部、背面部の各下端により画成された部分が換気風路の屋外に開放する開放部となっている。カバー部の開放部には換気風路を横断する状態に屏風状に折り曲げられた不織布のエアーフィルタが着脱可能に装着されている。エアーフィルタの具体的構造は、Ｗ形またはＭ形である。このエアーフィルタの構造により、エアーフィルタの換気流の通過面積が広がり給気についても排気についても圧力損失は低減し、塵埃や水滴の室内への侵入も防止することができる。
【０００９】
実施の形態１．
本実施の形態は、給気または排気のための換気口の屋外開口部に取付けられるウェザーカバーに関するものであり、図１はウェザーカバーの断面図、図２はエアーフィルタの拡大斜視図である。このウェザーカバーは、図１に示すように背面に換気口１に連通する接続口２を備えている。この接続口２は、内部に下部において開放する換気風路３を形成するカバー部４によってフード状に覆われている。カバー部４は、上面と前面を覆う前面部５と、両側を覆う側面部６と、背面を形成する背面部７とからなり、前面部５、側面部６、背面部７の各下端により画成された部分が換気風路３の屋外に開放する開放部８となっている。カバー部４の開放部８には換気風路３を横断する状態に屏風状に折り曲げられた不織布を基材９とするエアーフィルタ１０が支持枠に支えられ着脱可能に装着されている。
【００１０】
エアーフィルタ１０は、基材９である不織布が網材１１等により挟まれ、図２に示すようなＷ形またはＭ形に折り曲げられた構造である。エアーフィルタ１０の折り曲げ角は、水平面に対して４０度〜５５度になっていて、折り曲げによって形成される山の高さＨが山間のピッチＰより高くなっている。このエアーフィルタ１０の構造により、エアーフィルタ１０の換気流の通過面積が広がり給気についても排気についても圧力損失は低減し、塵埃や水滴の室内への侵入も防止することができる。エアーフィルタ１０をＷ形に構成した場合、カバー部４の側面部６と背面部７にエアーフィルタ１０の端縁が平行となるようにすると、換気流の通過面積が拡大して圧力損失を一層低減することができる。エアーフィルタ１０の折り曲げ角と、山の高さＨとピッチＰは、通過面積を確保するうえでより有効な要素である。なお、基材９を枠によりＷ形またはＭ形に形状保持してもよい。
【００１１】
実施の形態２．
図３によって示す本実施の形態は、防火機能や換気風路開閉機能等を備えたウェザーカバーであり、それ以外の基本的な構成は実施の形態１のものと同じである。従って、実施の形態１と同じ部分については、実施の形態１のものと同じ符号を用い、それらの説明は省略する。
【００１２】
図３は、本実施の形態のウェザーカバーの断面図である。このウェザーカバーは、接続口２にカバー部４内へ突出す風胴状のシャッタ枠１２が設けられている。このシャッタ枠１２には換気風路３を開閉する電動シャッタやヒューズの溶断により換気風路３を閉止する防火ダンパ等の機能体１３が設けられている。これによって開閉機能や防火機能を備えたウェザーカバーとなる。これ以外の機能は実施の形態１のものと同じである。
【図面の簡単な説明】
【００１３】
【図１】ウェザーカバーの断面図である。（実施の形態１）
【図２】エアーフィルタの拡大斜視図である。（実施の形態１）
【図３】ウェザーカバーの断面図である。（実施の形態２）
【符号の説明】
【００１４】
１  換気口、  ２  接続口、  ３  換気風路、  ４  カバー部、  ８  開放部、  １０  エアーフィルタ、  １３  機能体。
【図１】
2005265239.tif 000003
【図２】
2005265239.tif 000004
【図３】
2005265239.tif 000005